(57)【要約】【課題】通気性がよく新鮮な空気を通過させ部屋内の湿気を排出でき、しかも、外気の温度に部屋内部の温度が影響するのを防止でき、部屋の壁内面や外面に結露が生じるのを防止することができ、建物の強度を維持したまま簡単に施工できる内壁通気構造を提供する。【解決手段】建物１の外壁に外側断熱材１１が設けられ、外気取入口４３から取り込まれた外気が前記外側断熱材１１よりも内側を通気して排気口５８から排出される通気構造であって、建物１内の部屋３０の壁外面に面して設けられ、外気取入口４３から取り込まれた外気が通過しうる内側通気路１２と、各部屋３０の壁外面に、この部屋３０の周囲を囲んで設けられ、断熱性があり湿気透過性がある部屋用断熱材、すなわち側壁裏断熱材３１，床裏断熱材３２および天井裏断熱材３３とから構成されている。【選択図】　　　　図１
2004068275.tif 000002
【特許請求の範囲】
【請求項１】
建物の部屋を構成する床、天井および前後左右の４側壁の各外面に沿って、外気が通過しうる通気路がそれぞれ設けられた
ことを特徴とする内壁通気構造。
【請求項２】
前記部屋の床、天井および前後左右の４側壁の各外面が、断熱材でそれぞれ囲まれ、
該断熱材の外側に前記通気路が設けられた
ことを特徴とする請求項１記載の内壁通気構造。
【請求項３】
建物の外壁に外側断熱材が設けられ、外気取入口から取り込まれた外気が前記外側断熱材よりも内側を通気して排気口から排出される通気構造であって、
下階の部屋を構成する壁の外面に、該部屋の周囲を囲んで設けられ、前記外気が通過しうる下階用の内側通気路と、
上階の部屋を構成する壁の外面に、該部屋の周囲を囲んで設けられ、前記外気が通過しうる上階用の内側通気路と、
前記下階用の内側通気路と上階用の内側通気路との間を連通させる連通手段と、前記各部屋の壁の外面に、該部屋の周囲を囲んで設けられた部屋用断熱材とからなる
ことを特徴とする内壁通気構造。
【請求項４】
前記連通手段が、
前記土台の適所に形成され、前記外気取入口と下階用の内側通気路との間を連通過させるる通気溝と、
前記桁の適所に形成され、前記下階用の内側通気路と上階用の内側通気路との間を連通過させるる通気溝とからなる
ことを特徴とする請求項３記載の内壁通気構造。
【請求項５】
前記連通手段が、
前記土台に隣接する根太掛が、前記土台から離して設けられ、該土台と根太掛との間に形成された隙間と、
前記桁に隣接する根太掛が、前記桁から離して設けられ、該桁と根太掛との間に形成された隙間とからなる
ことを特徴とする請求項３記載の内壁通気構造。
【発明の詳細な説明】
【０００１】
【発明の属する技術分野】
本発明は、内壁通気構造に関する。
【０００２】
【従来の技術】
従来の建物の通気構造として、例えば特開２００２−１６７８７６号公報に記載された技術がある。図１５は従来の通気構造が適用された建物の断面図である。同図に示すように、この建物には、以下に示す（ａ）および（ｂ）の通気構造が適用されている。
（ａ）建物の外壁が外側断熱材１１で覆われている。この外側断熱材１１により、建物内の部屋３０の温度が、外気の温度変化に直接影響されるのを防止できる。
（ｂ）前記外側断熱材１１の内側において、外側断熱材１１と各部屋の外壁３０との間、並びに、隣接する部屋３０，３０の外壁同士の間に、内側通気路１２が設けられている。この内側通気路１２によって、外側断熱材１１の内側においても外気を通過させることができるので、通気性がよくなり湿気が排出されやすくなる。
なお、外側断熱材１１の外側には、外部化粧板１０１　が設けられており、この外部化粧板１０１　と外側断熱材１１との間に外壁通気路１０２　が形成されている。
【０００３】
【発明が解決しようとする課題】
しかるに、従来の通気構造には、以下に示す問題がある。
（ｉ）外気の温度が部屋３０の内部の温度より低い冬に、外気が内側通気路１２を通る場合には、外気の温度により部屋３０の内壁が冷やされ、部屋３０の壁内面に結露が生じる。外気の温度が部屋３０の内部の温度より高い夏に、外気が内側通気路１２を通る場合には、外気が部屋３０の壁外面に冷やされて結露が生じる。このため、壁などの構造体にカビが生じやすく、耐久性が下がる。
（ｉｉ）内側通気路は建物の内部に設けられるので施工が難しく　、非常に手間がかかる。
【０００４】
本発明はかかる事情に鑑み、通気性がよく新鮮な空気を通過させ部屋内の湿気を排出でき、しかも、外気の温度に部屋内部の温度が影響するのを防止でき、部屋の壁内面や壁外面に結露が生じるのを防止することができ、建物の強度を維持したまま簡単に施工できる内壁通気構造を提供することを目的とする。
【０００５】
【課題を解決するための手段】
請求項１の内壁通気構造は、建物の部屋を構成する床、天井および前後左右の４側壁の各外面に沿って、外気が通過しうる通気路がそれぞれ設けられたことを特徴とする。
請求項２の内壁通気構造は、請求項１の発明において、前記部屋の床、天井および前後左右の４側壁の各外面が、断熱材でそれぞれ囲まれ、該断熱材の外側に前記通気路が設けられたことを特徴とする。
請求項３の内壁通気構造は、建物の外壁に外側断熱材が設けられ、外気取入口から取り込まれた外気が前記外側断熱材よりも内側を通気して排気口から排出される通気構造であって、下階の部屋を構成する壁の外面に、該部屋の周囲を囲んで設けられ、前記外気が通過しうる下階用の内側通気路と、上階の部屋を構成する壁の外面に、該部屋の周囲を囲んで設けられ、前記外気が通過しうる上階用の内側通気路と、前記下階用の内側通気路と上階用の内側通気路との間を連通させる連通手段と、前記各部屋の壁の外面に、該部屋の周囲を囲んで設けられた部屋用断熱材とからなることを特徴とする。
請求項４の内壁通気構造は、請求項３記載の発明において、前記連通手段が、前記土台の適所に形成され、前記外気取入口と下階用の内側通気路との間を連通過させるる通気溝と、前記桁の適所に形成され、前記下階用の内側通気路と上階用の内側通気路との間を連通過させるる通気溝とからなることを特徴とする。
請求項５の内壁通気構造は、請求項３記載の発明において、前記連通手段が、前記土台に隣接する根太掛が、前記土台から離して設けられ、該土台と根太掛との間に形成された隙間と、前記桁に隣接する根太掛が、前記桁から離して設けられ、該桁と根太掛との間に形成された隙間とからなることを特徴とする。
【０００６】
請求項１の発明によれば、部屋の周囲を囲んで通気路が設けられているので、各通気路に外気を通過させることにより、部屋の全周囲に外気を通過させることができる。このため、通気性がよく、新鮮な空気を通過させ外気の通過に伴って部屋内の湿気を排出することができる。
請求項２の発明によれば、部屋の周囲を囲んで断熱材が設けられているので、通気路を外気が通過しても、外気の温度が部屋内部の温度に影響するのを防止することができ、部屋の壁内面や壁外面に結露が生じるのを防止することができる。
請求項３の発明によれば、連通手段によって、下階用の内側通気路と上階用の内側通気路との間は連通されているので、外気取入口から入ってきた外気を、下階用の内側通気路を通過させて上階用の内側通気路にも通過させることができる。下階用の内側通気路および上階用の内側通気路は、各部屋の周囲を囲んで設けられているので、全ての部屋の周囲に外気を通過させることができる。このため、通気性がよく新鮮な空気を通過させ外気の通過に伴って部屋内の湿気を排出することができる。しかも、部屋の壁外面には部屋用断熱材が設けられているので、内側通気路を外気が通過しても、外気の温度が部屋内部の温度に影響するのを防止することができ、部屋の壁内面や壁外面に結露が生じるのを防止することができる。
請求項４の発明によれば、土台の通気溝によって、外気取入口から取り込まれた外気を下階用の内側通気路に通過させることができ、桁の通気溝によって、下階用の内側通気路と上階用の内側通気路との間で外気を通過させることができるので、外気の通気性をよくすることができ、新鮮な空気を通過させることができる。しかも、土台および桁に通気溝を形成するだけなので、土台および桁の強度を維持したまま、簡単に施工することができる。
請求項５の発明によれば、土台と根太掛との間の隙間によって、外気取入口から取り込まれた外気を下階用の内側通気路に通過させることができ、桁と根太掛との間の隙間によって、下階用の内側通気路と上階用の内側通気路との間で外気を通過させることができるので、外気の通気性をよくすることができ、新鮮な空気を通過させることができる。
【０００７】
【発明の実施の形態】
つぎに、本発明の実施形態を図面に基づき説明する。
図１は本実施形態の内壁通気構造が適用された建物１の正面断面図である。図２は建物１の下部拡大図である。図３は建物１の上部拡大図である。図１〜図３において、符号１は、本実施形態の内壁通気構造が適用された建物を示している。建物１の内部には、１階および２階において、複数の部屋３０がそれぞれ設けられている。各部屋３０の内壁は、天井板５４、床板４８および側板２８で囲まれている。
なお、本実施形態の内側通気構造は、この２階建ての建物１だけでなく、１階建ての建物にも、３階建て以上の建物にも、適用することができる。また、１部屋だけで構成された建物にも適用することができる。
【０００８】
図５は（Ａ）が図２のＶ部拡大図であり、（Ｂ）は（Ａ）図のＢ−Ｂ線矢視拡大図である。
図２および図５において、符号４１は基礎コンクリートである。この基礎コンクリート４１の上面には、複数の基礎パッキン４２が配設されている。隣接する基礎パッキン４２，４２の間が離れて設置されており、この隙間が外気取入口４３となっている。
この外気取入口４３により、１階の部屋３０の床下に外気を取り込むことができる。この外気は、後述する内側通気路１２を通過して、排気口５８から排気されるようになっているが、詳細は後述する。
【０００９】
前記基礎パッキン４２の上面には、土台４４が水平に設置されている。
符号４５，４６，４７，４８および４９は、根太掛、根太、大引き、床板および束をそれぞれ示している。
【００１０】
図４は図１のＶＩ−ＶＩ線断面図である。同図に示すように、土台４４の上面には、柱２１および間柱２２が適切な間隔をもって、垂直に取付けられている。
【００１１】
図７は（Ａ）は図２のＶＩ部拡大図であり、（Ｂ）は（Ａ）図のＢ−Ｂ線矢視図である。図８は桁５１の単体図であって、（Ａ）は斜視図、（Ｂ）は断面図である。
図２、図７および図８に示すように、前記柱２１および間柱２２の上端面には、１階用の桁５１が配設されている。
符号５２，５３，５４，５５，５６および５７は、野縁受け、野縁、天井板、梁、根太および床板をそれぞれ示している。
【００１２】
１階用の桁５１の上面には、２階用の柱２１および間柱２２が適切な間隔をもって、垂直に取付けられており、その上面には２階用の桁５１が設けられている。そして、天井裏の壁には、排気口５８が設けられている。
符号６１、６２、６３および６４は、束、母屋、垂木および棟木をそれぞれ示している。なお、隣接する垂木６３，６３間に断熱材６５を設けておくと、好適である。
【００１３】
さて、外側断熱材１１を説明する。
図４に示すように、前記柱２１および間柱２２の外側端面には、構造用合板２３が取り付けられている。　前記構造用合板２３の内側面には、柱２１と間柱２２との間に、断熱性があり湿気透過性がある外側断熱材１１が取り付けられている。この外側断熱材１１によって、建物１の内部における全ての部屋３０が外気の温度に直接影響されるのを防止することができる。
外側断熱材１１は、硬質ウレタンフォームやポリウレタンフォーム、フェノールフォーム、ポリスチレンフォーム等の発泡プラスチック系断熱材、並びに、グラスウールやロックウール等の無機繊維系断熱材、並びに、インシュレーションボード等の木質繊維系断熱材など、種々の断熱材を使用しうる。特に、発泡プラスチック系断熱材は通気性がよく施工が簡単なので好適である。
符号２４，２５は、胴縁、雨水防止パネルをそれぞれ示している。構造用合板２３と雨水防止パネル２５との間の隙間が、外部通気層２４ａ　を形成しており、通気性がよいので好適である。
【００１４】
つぎに、１階の内側通気路１２および２階の内側通気路１３を説明する。
１階の部屋３０を構成する床、天井および前後左右の４側壁各外面には、この部屋３０の周囲を囲んで、１階の内側通気路１２が設けられている。つまり、１階の内側通気路１２は、１階の部屋３０において、次の（ａ）〜（ｄ）の場所に設けられている。
（ａ）部屋３０の側壁と外側断熱材１１との間
（ｂ）隣接する部屋３０，３０の側壁同士の間
（ｃ）部屋３０の床裏
（ｄ）部屋３０の天井裏
【００１５】
同様にして、２階の部屋３０を構成する床、天井および前後左右の４側壁各外面には、この部屋３０の周囲を囲んで、前記１階の内側通気路１２と同様に、２階の内側通気路１３が設けられている。つまり、２階の内側通気路１３は、２階の部屋３０において、上記（ａ）〜（ｄ）の場所に設けられている。
【００１６】
つぎに、各部屋３０の壁外面の構造を説明する。
図４に示すように、前記柱２１の左右両側端面には、胴縁２６，２６が垂直に取付けられている。柱２１と間柱２２との間において、前記胴縁２６に掛止して、側壁裏断熱材３１が取付けられている。
側壁裏断熱材３１の内側には、バラ板２７が取り付けられ、バラ板２７の内側には部屋３０の側内壁を構成している側板２８、例えば石膏ボードが取り付けられている。この側板２８が、部屋３０における側壁の内面を形成している。
つまり、部屋３０における前後左右の４側壁の外面には側壁裏断熱材３１が設けられている。この側壁裏断熱材３１と前記外側断熱材１１との間が、１階および２階の内側通気路１２，１３となっている。
【００１７】
図１０は図２のＸ−Ｘ線矢視図である。図１０に示すように、部屋３０の床裏において、根太掛４５、大引き４７および隣接する一対の根太４６，４６で囲まれた部分には、断熱性があり湿気透過性がある床裏断熱材３２が取り付けられている。
【００１８】
図１１は図２のＸＩ−ＸＩ線矢視図である。同図に示すように、部屋３０の天井裏において、隣接する一対の野縁受け５２，５２および隣接する一対の野縁５３，５３で囲まれた部分には、断熱性があり湿気透過性がある天井裏断熱材３３が取り付けられている。
【００１９】
前記側壁裏断熱材３１、床裏断熱材３２および天井裏断熱材３３は、請求項でいう部屋用断熱材に相当しており、硬質ウレタンフォームやポリウレタンフォーム、フェノールフォーム、ポリスチレンフォーム等の発泡プラスチック系断熱材、並びに、グラスウールやロックウール等の無機繊維系断熱材、並びに、インシュレーションボード等の木質繊維系断熱材など、種々の断熱材を使用しうる。特に、発泡プラスチック系断熱材は断熱性がよく施工が簡単なので好適である。
【００２０】
上記のごとく、部屋３０の壁外面には、この部屋３０の周囲を囲んで部屋用断熱材すなわち、側壁裏断熱材３１、床裏断熱材３２および天井裏断熱材３３が設けられているので、部屋３０の外側の温度によって、部屋３０の内側の温度が影響を受けるのを防止することができる。
【００２１】
つぎに、１階の内側通気路１２と２階の内側通気路１３との間を連通させる連通手段を説明する。
図６は土台４４の単体図であって、（Ａ）は斜視図、（Ｂ）は断面図である。図５〜図６に示すように、前記土台４４には、通気溝４４ｈ　が形成されている。この通気溝４４ｈ　は、土台４４の内側面から上面にかけて切欠かれた溝である。この通気溝４４ｈ　により、土台４４の内側面と上面との間を連通させることができる。
よって、土台４４の通気溝４４ｈ　によって、前記外気取入口４３から１階の部屋３０の床下に入ってきた外気を、１階の内側通気路１２に通過させることができる。
【００２２】
部屋３０の外側壁には側壁裏断熱材３１が設けられており、隣接する部屋３０，３０間の隙間は１階および２階の内側通気路１２，１３を構成している。この内側通気路１２Ｂ　の上下に位置する土台には図９の土台４４Ｂ　を使用するとよい。
この土台４４Ｂ　は、左右両側板および上面が切欠かれた通気溝４４ｈ　が形成されたものである。この土台４４Ｂ　によれば、土台４４Ｂ　の左右側面と上面との間を連通させ、通気させることができる。
よって、部屋３０の床下と１階の内側通気路１２との間の通気ができ、しかも部屋３０，３０の床下同士の通気もできる。
【００２３】
図８は桁の単体図であって、（Ａ）は斜視図、（Ｂ）は断面図である。図７〜図８に示すように、前記桁５１には、通気溝５１ｈ　が形成されている。この通気溝５１ｈ　は、桁５１の内側面、上面および下側面が切欠かれた溝である。この通気溝５１ｈ　によって、５０の内側、上部および下側の間を連通させることができる。このため、１階の内側通気路１２を通過した外気は、桁５１の通気溝５１ｈ　を抜けて、２階の内側通気路１３を通過する。
【００２４】
そして、隣接する部屋３０，３０の外壁同士の間に設けられている桁には図９の桁５１Ｂ　を使用するとよい。桁５１Ｂ　には、左右両側面、上面および下面が切欠かれた通気溝４４ｈ　が形成されている。この桁５１Ｂ　によれば、桁５１Ｂ　の左右両側、上方および下方の各間を連通させ、通気させることができる。
【００２５】
よって、外気取入口４３から取り込まれた外気を、１階の部屋３０の床下に取り込み、各部屋３０の壁外面に設けられた１階の内側通気路１２および２階の内側通気路１３を通過させ、最終的に外気を排気口５８から排気させることができる。
なお、天井裏にファン７１を設けておくことにより、強制的に外気を取り込んで排気口５８から、各部屋３０の湿気とともに排気させることができる。
【００２６】
上記のごとき構成の本実施形態の内壁通気構造によれば、以下の（１）〜（４）の効果を奏する
（１）建物１の外壁に外側断熱材１１が設けられ、外気取入口４３から取り込まれた外気が、外側断熱材１１よりも内側を通気して排気口５８から排出されるようになっている。このため、前記外側断熱材１１により、外気の温度変化が建物１内の部屋３０の温度に直接影響されるのを防止できる。
【００２７】
（２）部屋３０の周囲を囲んで内側通気路１２，１３が設けられているので、各内側通気路１２，１３に外気を通過させることにより、部屋３０の全周囲に外気を通過させることができる。このため、通気性がよく、新鮮な空気を通過させ外気の通過に伴って部屋３０内の湿気を排出することができる。
【００２８】
（３）部屋３０の周囲を囲んで側壁裏断熱材３１、床裏断熱材３２および天井裏断熱材３３が設けられているので、内側通気路１２、１３を外気が通過しても、外気の温度が部屋３０内部の温度に影響するのを防止することができ、部屋３０の壁内面や壁外面に結露が生じるのを防止することができる。
【００２９】
（４）土台４４の通気溝４４ｈ　および桁５１の通気溝５１ｈ　によって、１階の内側通気路１２と２階の内側通気路１３との間は連通されているので、外気取入口４３から取り込まれた外気を、１階の内側通気路１２を通過させて２階の内側通気路１３にも通過させることができる。１階の内側通気路１２および２階の内側通気路１３は、各部屋３０の周囲を囲んで設けられているので、全ての部屋３０の周囲に外気を通過させることができる。このため、部屋３０の外壁に面して設けられた内側通気路１２を通過させることができるので、通気性がよく新鮮な空気を通過させ外気の通過に伴って部屋３０内の湿気を排出することができる。しかも、部屋３０の壁外面には部屋用断熱材、すなわち側壁裏断熱材３１，床裏断熱材３２および天井裏断熱材３３が設けられているので、１階および２階の内側通気路１２，１３を外気が通過しても、外気の温度が部屋３０内部の温度に影響するのを防止することができ、部屋３０の壁内面や壁外面に結露が生じるのを防止することができる。
【００３０】
（５）土台４４の通気溝４４ｈ　によって、外気取入口４３から取り込まれた外気を１階の内側通気路１２に通過させることができ、桁５１の通気溝５１ｈによって、１階の内側通気路１２から２階の内側通気路１３外気を通過させることができるので、外気の通気性をよくすることができ、新鮮な空気を通過させることができる。しかも、土台４４および桁５１に通気溝４４ｈ，５１ｈを形成するだけなので、土台４４および桁５１の強度を維持したまま、簡単に施工することができる。
【００３１】
また、１階の内側通気路１２と２階の内側通気路１３との間を連通させる連通手段については、図１２〜図１４に示す第二実施形態の内壁通気構造における連通手段であってもよい。
【００３２】
図１２は第二実施形態の内壁通気構造における土台４４の拡大図である。同図に示すように、土台４４から少し離して根太掛４５が配設されており、土台４４と根太掛４５との間には隙間が形成されている。土台４４の上面から少し離して、土台４４との間に隙間ができるように、側壁裏断熱材３１が配設されている。土台４４には通気溝を形成しなくてもよい。
このため、土台４４に通気溝を形成しなくても、外気取入口４３から取り入れた外気を、１階の内側通気路１２に通過させることができる。
【００３３】
図１３は第二実施形態の内壁通気構造における桁５１の拡大図である。同図に示すように、桁５１の下面より少し離して、桁５１との間に隙間ができるように、１階の側壁裏断熱材３１が配設されている。
桁５１から少し離して２階用の根太掛４５が配設されており、桁５１と根太掛４５との間には隙間が形成されている。桁５１には、通気溝を形成しなくてもよい。
このため、桁５１に通気溝を形成しなくても、１階の内側通気路１２を通過してきた外気を、２階の内側通気路１３に通過させることができる。
【００３４】
図１４は第二実施形態の内壁通気構造における天井裏の桁５１の拡大図である。同図に示すように、桁５１の下面から少し離して、桁５１との間に隙間ができるように、２階の側壁裏断熱材３１が配設されている。桁５１には、通気溝を形成しなくてもよい。符号６６は、有孔石綿板である。
このため、２階の内側通気路１２を通過してきた外気を天井裏に通過させることができる。
【００３５】
よって、第二実施形態の内壁通気構造によれば、土台４４と根太掛４５との間の隙間によって、外気取入口４３から取り込まれた外気を１階の内側通気路１２に通過させることができ、桁５１と根太掛４５との間の隙間によって、１階の内側通気路１と２階の内側通気路２との間で外気を通過させることができるので、外気の通気性をよくすることができ、新鮮な空気を通過させることができる。
【００３６】
なお、上記のごとく図面を用いて、通気路および断熱材の両方を備えた構造について実施形態を説明してきたが、断熱材を設けず通気路だけ設けた構造であってもよい。この場合であっても、上記実施形態と同様に、通気性がよく、新鮮な空気を通過させ外気の通過に伴って部屋３０内の湿気を排出することができる。
【００３７】
【発明の効果】
請求項１の発明によれば、通気性がよく、新鮮な空気を通過させ外気の通過に伴って部屋内の湿気を排出することができる。
請求項２の発明によれば、通気路を外気が通過しても、外気の温度が部屋内部の温度に影響するのを防止することができ、部屋の壁内面や壁外面に結露が生じるのを防止することができる。
請求項３の発明によれば、外気取入口から入ってきた外気を、下階用の内側通気路を通過させて上階用の内側通気路にも通過させることができ、全ての部屋の周囲に外気を通過させることができる。このため、通気性がよく新鮮な空気を通過させ外気の通過に伴って部屋内の湿気を排出することができる。しかも、内側通気路を外気が通過しても、外気の温度が部屋内部の温度に影響するのを防止することができ、部屋の壁内面や壁外面に結露が生じるのを防止することができる。
請求項４の発明によれば、外気の通気性をよくすることができ、新鮮な空気を通過させることができる。しかも、土台および桁に通気溝を形成するだけなので、土台および桁の強度を維持したまま、簡単に施工することができる。
請求項５の発明によれば、外気の通気性をよくすることができ、新鮮な空気を通過させることができる。
【図面の簡単な説明】
【図１】本実施形態の内壁通気構造が適用された建物１の正面断面図である。
【図２】建物の下部拡大図である。
【図３】建物の上部拡大図である。
【図４】図１のＶＩ−ＶＩ線断面図である。
【図５】（Ａ）は図２のＶ部拡大図であり、（Ｂ）は（Ａ）図のＢ−Ｂ線矢視拡大図である。
【図６】土台４４の単体図であって、（Ａ）は斜視図、（Ｂ）は断面図である。
【図７】（Ａ）は図２のＶＩ部拡大図であり、（Ｂ）は（Ａ）図のＢ−Ｂ線矢視図である。
【図８】桁の単体図であって、（Ａ）は斜視図、（Ｂ）は断面図である。
【図９】桁の単体図であって、（Ａ）は斜視図、（Ｂ）は断面図である。
【図１０】図２のＸ−Ｘ線矢視図である。
【図１１】図２のＸＩ−ＸＩ線矢視図である。
【図１２】第二実施形態の内壁通気構造における土台４４の拡大図である。
【図１３】第二実施形態の内壁通気構造における桁５１の拡大図である。
【図１４】第二実施形態の内壁通気構造における天井裏の桁５１の拡大図である。
【図１５】従来の建物の正面断面図である。
【符号の説明】
１　　　　建物
１１　　　外側断熱材
１２　　　１階の内側通気路
１３　　　２階の内側通気路
３１　　　側壁裏断熱材
３２　　　床裏断熱材
３３　　　天井裏断熱材
４４　　　土台
４４ｈ　　　　通気溝
５１　　　桁
５１ｈ　　　　通気溝
【図１】
2004068275.tif 000003
【図２】
2004068275.tif 000004
【図３】
2004068275.tif 000005
【図４】
2004068275.tif 000006
【図５】
2004068275.tif 000007
【図６】
2004068275.tif 000008
【図７】
2004068275.tif 000009
【図８】
2004068275.tif 000010
【図９】
2004068275.tif 000011
【図１０】
2004068275.tif 000012
【図１１】
2004068275.tif 000013
【図１２】
2004068275.tif 000014
【図１３】
2004068275.tif 000015
【図１４】
2004068275.tif 000016
【図１５】
2004068275.tif 000017